(57)【要約】【課題】操作性を向上した表示機器、及び、画面遷移方法を提供する。【解決手段】階層化された複数の画面の各画面、或いは、順番に表示される複数の画面の各画面を表示し、指のタッチ操作に応じて画面を遷移して表示する表示機器において、前記タッチ操作時の指の本数を検出し、検出した指の本数に予め対応付けられている画面に遷移することを特徴とする。【選択図】図４
2013016123.tif 000002
【特許請求の範囲】
【請求項１】
階層化された複数の画面の各画面、或いは、順番に表示される複数の画面の各画面を表示し、指のタッチ操作に応じて画面を遷移して表示する表示機器において、
前記タッチ操作時の指の本数を検出し、検出した指の本数に予め対応付けられている画面に遷移することを特徴とする表示機器。
【請求項２】
前記タッチ操作時の指の本数に応じて、前記画面の遷移時に表示する遷移画面に与える視覚効果を変えることを特徴とする請求項１に記載の表示機器。
【請求項３】
前記タッチ操作時の指の本数に応じて、遷移する画面の階層の数を変えることを特徴とする請求項１又は２に記載の表示機器。
【請求項４】
階層化された複数の画面の各画面、或いは、順番に表示される複数の画面の各画面を指のタッチ操作に応じて遷移して表示し、前記タッチ操作時の指の本数を検出し、検出した指の本数に予め対応付けられている画面に遷移することを特徴とする画面遷移方法。
【発明の詳細な説明】
【技術分野】
【０００１】
本発明は、タッチ操作で画面を遷移させる表示機器、及び、この表示機器の画面遷移方法に関する。
【背景技術】
【０００２】
従来、液晶ディスプレイや有機ＥＬディスプレイ等の表示パネルと、表示パネルの上に重ねて配設されたタッチパネルと、を備えタッチ操作によって画面を遷移させることができる表示機器が知られている。近年では、タッチパネルの中でも、複数の点に同時にタッチ操作を行うことができるマルチタッチスクリーンを配設したマルチメディアステーション（Ｍｕｌｔｉ  Ｍｅｄｉａ  Ｓｔａｔｉｏｎ）等の設置型表示機器、或いは、スマートフォン、パーソナルナビゲーション、電子書籍等の携帯型表示機器が広く普及しつつある（例えば、特許文献１参照）。この種の表示機器は、前の画面に戻る、次の画面に進む、画面を上下左右にスクロールさせる等の画面遷移をタッチパネルに触れたペンや指をタッチパネル表面でスライドさせる、或いは、払うように移動させるタッチ操作で行うことができる。
【先行技術文献】
【特許文献】
【０００３】
【特許文献１】特開２０１０−２７１７７４号公報
【発明の概要】
【発明が解決しようとする課題】
【０００４】
ところで、この種の表示機器では、画面が階層化されており、タッチ操作に応じて、表示する順番に従って画面が遷移される。そのため、タッチ操作では、表示する順番で前後の画面にしか画面を遷移させることができなかった。これにより、機能階層のトップ画面（ルートディレクトリ）に遷移させるためには、何度もタッチ操作を繰り返す必要があった。また、システムトップの画面への遷移はタッチ操作ではなく、タッチパネルの周囲に設けられた操作ボタンを操作して遷移させる構成であり、操作性が悪かった。
本発明は、上述した従来の技術が有する課題を解消し、操作性を向上した表示機器、及び、画面遷移方法を提供することを目的とする。
【課題を解決するための手段】
【０００５】
上記目的を達成するために、本発明は、階層化された複数の画面の各画面、或いは、順番に表示される複数の画面の各画面を表示し、指のタッチ操作に応じて画面を遷移して表示する表示機器において、前記タッチ操作時の指の本数を検出し、検出した指の本数に予め対応付けられている画面に遷移することを特徴とする。
【０００６】
この構成において、前記タッチ操作時の指の本数に応じて、前記画面の遷移時に表示する遷移画面に与える視覚効果を変える構成としても良い。また、前記タッチ操作時の指の本数に応じて、遷移する画面の階層の数を変える構成としても良い。
【０００７】
また、上記目的を達成するために、本発明は、階層化された複数の画面の各画面、或いは、順番に表示される複数の画面の各画面を指のタッチ操作に応じて遷移して表示し、前記タッチ操作時の指の本数を検出し、検出した指の本数に予め対応付けられている画面に遷移することを特徴とする。
【発明の効果】
【０００８】
本発明によれば、階層化された複数の画面の各画面、或いは、順番に表示される複数の画面の各画面を表示し、指のタッチ操作に応じて画面を遷移して表示する表示機器において、前記タッチ操作時の指の本数を検出し、検出した指の本数に予め対応付けられている画面に遷移するため、一度のタッチ操作で遷移できる画面のバリエーションが増え、表示機器の操作性が向上するという効果を奏する。
【図面の簡単な説明】
【０００９】
【図１】本発明の実施形態に係る表示機器の構成を示すブロック図である。
【図２】表示機器の画面の構成を模式的に示す図である。
【図３】表示機器のシステムトップ画面への入力操作を行っている図である。
【図４】表示機器の動作を示すフローチャートである。
【図５】画面を遷移させる入力操作について説明するための図である。
【図６】画面の遷移時に表示される遷移画面について説明するための図である。
【図７】別の実施形態の画面の遷移時に表示される遷移画面について説明するための図である。
【発明を実施するための形態】
【００１０】
以下、図面を参照して本発明の実施形態について説明する。
なお、本発明は、画像、或いは、映像を表示するとともに、画面の表面に触れることで入力操作を行うことができる表示機器であれば任意の機器に適用することができる。
図１は、本発明を適用した実施形態に係る表示機器１の機能的構成を示すブロック図である。図１に示すように、表示機器１は、表示部１０と、制御部２０と、記憶部３０と、を備える。
【００１１】
表示部１０は、表示パネル１１と、タッチパネル１２と、を備える。表示パネル１１は、液晶ディスプレイ或いは有機ＥＬディスプレイから構成される。表示パネル１１には、制御部２０の制御の下、画像や映像が表示される。タッチパネル１２は、表示パネル１１の上に重ねて配設される。ユーザーは、表示パネル１１に表示された操作ボタン、或いは、表示機器１が有する機能に応じたアイコンに対応する位置を指先などでタッチ操作することで、表示機器１への各種入力操作を行うことができる。
【００１２】
また、タッチパネル１２は、タッチパネル１２表面の複数の点に同時に触れて入力操作を行うことができるマルチタッチスクリーンである。タッチパネル１２のタッチ位置を検出する方式としては、抵抗膜方式、静電容量方式、電磁誘導方式、超音波表面弾性波方式等の様々な方式が一般的に知られている。本実施形態に係る表示機器１において、これらのタッチパネル１２のタッチ位置を検出する方式のうち、どの方式を用いる構成であっても良い。また、タッチパネル１２は、マルチタッチスクリーンであるため、ユーザーは、タッチ操作する指をタッチパネル１２表面でスライドさせる、或いは、払うように移動させる操作（フリック操作）を行うことで、前の画面に戻る、次の画面に進む、画面を上下左右にスクロールさせる等の画面を遷移させる入力操作を行うことができる。表示機器１は、タッチパネル１２の他に、図示は省略したが、表示パネル１１の周囲に設けられた複数の操作端子を備える構成としても良い。この操作端子を用いて行う入力操作としては、例えば、表示機器１の電源オン／オフ等がある。
【００１３】
制御部２０は、表示機器１の各部を中枢的に制御するものであり、演算実行部としてのＣＰＵや、このＣＰＵに実行される基本制御プログラムをコンピューターに読み取り可能な形態で不揮発的に記憶するＲＯＭ、ＣＰＵに実行されるプログラムやこのプログラムに係るデータ等を一時的に記憶するＲＡＭ、その他の周辺回路等を備えている。
【００１４】
制御部２０は、画面遷移部２１と、操作検出部２２と、を備える。画面遷移部２１は、表示パネル１１に表示する画像の画像信号を生成して表示部１０に出力する。表示パネル１１に表示する画像は、ユーザーによって、タッチパネル１２を介して行われる入力操作に応じた画像であり、ユーザーによるタッチパネル１２への入力操作は、操作検出部２２で検出される。操作検出部２２は、ユーザーによるタッチパネル１２への入力操作を検出して、検出した結果を画面遷移部２１に入力し、画面遷移部２１は、操作検出部２２によって検出されたユーザーによるタッチパネル１２への入力操作に基づいて、表示パネル１１の画面を遷移させる。
【００１５】
記憶部３０は、表示機器１に内蔵されたフラッシュメモリー、或いは、表示機器１に挿入される挿抜可能なＳＤ（Ｓｅｃｕｒｅ  Ｄｉｇｉｔａｌ）メモリーカード等のリムーバブルメディアである。記憶部３０には、制御部２０のＣＰＵに実行されるプログラムに係るデータ及び、制御部２０の制御の下、表示機器１で再生可能なオーディオ（楽曲）ファイル、ビデオ（動画像）ファイル、ピクチャ（静止画像）ファイル等が書き換え可能に記憶されている。
【００１６】
表示機器１は、例えばスマートフォンやポータブルナビゲーション機器といった、多種多様な機能を有する表示機器である。表示機器１が有するこれらの多種多様な機能は、カテゴリー別に分類され、画面は、図２に示すように階層化されている。システムトップのメニュー画面には、図３に示すように、選択可能な機能を示すアイコンｉが複数表示される。ユーザーは、表示される複数のアイコンｉから実行する機能を選択し、選択する機能のアイコンｉの位置でタッチ操作することで、図２に示した階層化された画面をシステムトップから、階層１（機能階層トップ）、階層２、階層３・・・と、画面を階層の下側に遷移させる。画面は、階層化されると共に、順番に従って表示するように構成される。
【００１７】
次に、タッチパネル１２を用いて画面を遷移させる入力操作を行う方法について説明する。
階層化された画面を階層の下側の画面に遷移するときは、図３に示すように、表示パネル１１に表示されたシステムトップのメニュー画面の中の複数のアイコンｉのうち所望する機能を示すアイコンに相当する位置でタッチパネル１２を軽くたたくように（タップする）タッチ操作を行う。これによって、タッチ操作が行われた位置に応じたメニューの１階層下の画面に遷移する。例えば、図３に示したように、システムトップの画面に表示されたアイコンを選択すると、そのアイコンに応じた機能の機能階層トップの画面に画面が遷移する。
【００１８】
表示パネル１１に表示されている画面を同じ階層内の表示される順番で前の画面に戻す場合には、図４（Ａ）に示すように、タッチパネル１２に１本の指でタッチ操作を行い、このタッチ操作時の指をタッチパネル１２の表面で右側にスライドさせる、或いは、払うように移動させる。また、表示パネル１１に表示されている画面を同じ階層内の表示される順番で次の画面に進める場合には、図４（Ｂ）に示すように、タッチパネル１２に１本の指でタッチ操作を行い、このタッチ操作時の指をタッチパネル１２の表面で左側側にスライドさせる、或いは、払うように移動させる。
【００１９】
例えば、システムトップの画面において、選択可能なメニューを示すアイコンの数が１画面に表示できるアイコンの数を超えている場合には、選択可能なメニューを示す複数のアイコンが複数画面に亘って表示される。このようなときに、システムトップのメニュー画面において、タッチパネル１２にタッチ操作する１本の指を画面表面で右、或いは、左にスライドさせる、或いは、払うように移動させる。これによって、表示パネル１１に表示されるメニュー画面を次、或いは、前の画面に遷移させて、選択可能な機能のアイコンを閲覧することができる。また、例えばピクチャファイルのように階層化された画面の最下層に位置するファイルを閲覧するときには、メニュー画面を階層化された画面の最下層まで遷移させ、その後、図４（Ａ），（Ｂ）に示すように、タッチパネル１２にタッチ操作する１本の指を画面表面で左、或いは、右にスライドさせる、或いは、払うように移動させる。これによって、表示パネル１１の画面を次、或いは、前のピクチャファイルに基づく画面に遷移させることができる。
【００２０】
階層化された画面を１階層上の画面に遷移させるには、図４（Ｃ）に示したように、タッチパネル１２に２本の指でタッチ操作を行い、このタッチ操作時の２本の指をタッチパネル１２の表面で右側にスライドさせる、或いは、払うように移動させる。これによって、画面が、階層化された画面の１階層上の画面に遷移する。
【００２１】
また、例えば図２に示した階層５から階層５が属する機能階層のトップの画面、つまり階層１の画面に遷移させる場合等、階層化された画面の下層側から、階層１の画面に遷移させるには、図４（Ｄ）に示したように、タッチパネル１２に３本の指でタッチ操作を行い、このタッチ操作時の指を画面表面で右側にスライドさせる、或いは、払うように移動させる。これによって、カテゴリー別に階層化された画面が機能階層のトップである階層１の画面に遷移する。
さらに、階層化された画面の下層側の画面から、システムトップのメニュー画面に画面を遷移させるには、図４（Ｅ）に示したように、タッチパネル１２に４本の指でタッチ操作を行い、このタッチ操作時の指をタッチパネル１２の表面で右側にスライドさせる、或いは、払うように移動させる。これによって、画面が、システムトップのメニュー画面に遷移する。
【００２２】
このように、タッチパネル１２へのタッチ操作時の指の本数には、予め遷移する画面の数が対応付けられている。タッチ操作時の指の本数に応じて遷移させる画面の数、或いは、画面の階層の数はユーザーによって任意に設定可能な構成であっても良い。
これらの構成によれば、複数本の指でタッチパネル１２へのタッチ操作を行い、このタッチ操作時の指を画面表面で移動させる入力操作を行うことで、タッチ操作時の指の本数に予め対応付けられた画面、例えば階層化された画面のトップの画面、或いは、システムトップのメニュー画面等に簡単に戻ることができる。これによって、タッチパネル１２へのタッチ操作だけで容易に画面を所望の画面に遷移させる入力操作を行うことが可能となる。また、この画面遷移方法を用いることによって、タッチ操作時の指の本数に予め対応付けられた画面に遷移させることができるため、一度の入力操作で遷移させることができる画面のバリエーションが増え、表示機器１の操作性が向上する。
【００２３】
次に、タッチパネル１２へのタッチ操作で画面を遷移させる入力操作をおこなったときの表示機器１の動作について図５のフローチャートを用いて説明する。
図５に示したように、制御部２０の操作検出部２２がタッチパネル１２へのタッチ操作を検出すると（ステップＳ１）、操作検出部２２は、タッチパネル１２へのタッチ操作時の指の本数を検出する（ステップＳ２）。操作検出部２２は、検出した結果を画面遷移部２１に入力する。画面遷移部２１は、操作検出部２２からの入力結果に基づいて、タッチパネル１２へのタッチ操作時の指の本数が何本かを判断し、画面を、タッチ操作時の指の本数に予め対応付けられた画面に遷移させる。
【００２４】
タッチパネル１２へのタッチ操作による画面遷移の入力操作が１本の指で行われたことを検出すると（ステップＳ３：Ｙｅｓ）、画面遷移部２１は、表示パネル１１の画面を上述のように同一階層内の次、或いは、前の画面に遷移させる（ステップＳ４）。
タッチパネル１２へのタッチ操作による画面遷移の入力操作が２本の指で行われたことを検出すると（ステップＳ５：Ｙｅｓ）、画面遷移部２１は、表示パネル１１の画面を上述のように１階層上の画面に遷移させる（ステップＳ６）。
【００２５】
タッチパネル１２へのタッチ操作による画面遷移の入力操作が３本の指で行われたことを検出すると（ステップＳ７：Ｙｅｓ）、画面遷移部２１は、表示パネル１１の画面を上述のようにカテゴリー別に階層化された画面の機能階層トップである階層１の画面に遷移させる（ステップＳ８）。
タッチパネル１２へのタッチ操作による画面遷移の入力操作が４本の指で行われたことを検出すると（ステップＳ９：Ｙｅｓ）、画面遷移部２１は、表示パネル１１の画面を上述のようにシステムトップのメニュー画面に遷移させる（ステップＳ１０）。
【００２６】
画面遷移時の画面には、図６に示すように、ユーザーが視覚的にどのような操作が行われているかを認識できる視覚効果を与える構成としても良い。
図６（Ａ）は、タッチパネル１２へのタッチ操作時の指の本数が１本であり、このタッチ操作時の１本の指を、画面上で右側にスライドさせる、或いは、払うように移動させて、表示パネル１１の画面を同一階層内の表示される順番が前の画面に戻す入力操作を行った場合を示す図である。図６（Ａ）に示すように、画面遷移時の画面には、タッチパネル１２の表面をタッチ操作しながら移動する指の動きに応じて、表示中の画面が右側にずれながら画面内から消えていき（スライドアウト）、これに伴って同一階層の表示する順番が前の画面が表示パネル１１に画面左側から画面内にずれ込んでくるように表示される（スライドイン）。
一方、図示は省略したが、表示パネル１１に表示されている画面を同一階層内の表示する順番が次の画面に進める入力操作を行った場合には、画面を前の画面に戻す場合とは逆に、タッチパネル１２の表面をタッチ操作しながら移動する指の動きに応じて、表示中の画面が画面左側にずれるようにスライドアウトしこれに伴って同一階層の次の画面が表示パネル１１に画面右側からスライドインする。このように、タッチ操作によって画面を遷移させる入力操作を行う指の動きに対応して画面を左右にスライドアウト・スライドインさせることで、画面を同一階層内で表示する順番に従って遷移させる操作を行っていることをユーザーが視覚的に認識することができる。
【００２７】
また、図６（Ｂ）は、タッチパネル１２へのタッチ操作時の指の本数が２本であり、このタッチ操作時の２本の指を、画面上で右側にスライドさせる、或いは、払うように移動させて、表示パネル１１に表示されている画面を１階層上の画面に遷移させる入力操作を行った場合、画面遷移時の画面を示す図である。図６（Ｂ）に示すように、タッチパネル１２でタッチ操作しながら移動する指の動きに応じて、１階層上の画面が表示中の画面の上に被さってくるように画面左側からスライドインする。つまり、表示中の画面はそのままで、１階層上の画面が指の動きに合わせて画面左側から現れてくる。このように、画面を遷移させる入力操作を行う指の動きに対応させて、１階層上の画面を表示中の画面に被さってくるように表示することで、画面を１階層上の画面に遷移させる操作を行っていることをユーザーが視覚的に認識することができる。
【００２８】
図７は、別の実施形態の画面遷移時に画面に与える視覚効果を示す図である。この別の実施形態では、タッチパネル１２へのユーザーのタッチ操作に応じて画面を別の階層の画面へ遷移させる場合に、図７に示すように、遷移する画面の階層の数に応じて画面に奥行深さをもたせる視覚効果を与える。
この別の実施形態の具体例を以下に説明する。図７（Ａ）は、タッチパネル１２へのタッチ操作時の指の本数が３本であり、このタッチ操作時の３本の指を、画面上で右側にスライドさせる、或いは、払うように移動させて、表示パネル１１に表示されている階層５の画面を機能階層のトップ画面である階層１の画面に遷移させる入力操作を行った場合の画面遷移時の画面を示す図である。図７（Ａ）に示すように、タッチパネル１２へのタッチ操作が３本の指で行われたことを検出すると、画面遷移部２１は、表示中の階層５の画面が、視覚的に画面奥側に押し込まれたように表示する。画面遷移部２１は、続いて、画面奥側に押し込まれたように表示した階層５の上に、タッチ操作をしながら移動する３本の指の動きに合わせて機能階層のトップ画面が被さってくるように、階層１の画面を画面左側からスライドインさせて表示する。
【００２９】
この別の実施形態において、表示中の画面を画面遷移時にどれだけ奥側に押し込んだように表示するかを、遷移する画面の階層の数に対応づける構成であっても良い。図７（Ｂ）は、階層５の画面からシステムトップの画面に遷移させる入力操作を行った時の画面遷移時の画面を示す図である。図７（Ｂ）に示すように、タッチパネル１２へのタッチ操作時の指の本数が４本であることを検出すると、画面遷移部２１は、表示中の画面が視覚的に画面奥側に押し込まれたように表示する。このとき、画面遷移部２１は、システムトップの画面から、階層５の差に応じて、どれだけ表示中の画面を奥側に押し込むかを調整する。例えば、階層５の画面からシステムトップの画面に遷移させる場合、遷移させる画面の階層の数、つまり階層５の画面からシステムトップの画面の間の遷移する階層の数に対応づけて階層５の画面を画面奥側に押し込んだように表示する。図７（Ｂ）で示した階層５の画面からシステムトップの画面に遷移する画面の階層の数は、図７（Ａ）で示した階層５の画面から機能階層のトップ画面に遷移する画面の階層の数よりも多いため、図７（Ｂ）に示す階層５の画面は、図７（Ａ）で示す階層５の画面より遠くに押し込まれたように表示される。
【００３０】
この構成によれば、タッチ操作時の指の本数に対応付けて遷移する画面の階層の数を変えることができると共に、遷移させる画面の階層の数に対応づけて画面遷移時の画面の奥行深さを変えて表示する。これによって、ユーザーは、入力操作間違いを行ったこと、或いは、機器が誤作動差していることを視覚的に認識することができ、必要に応じて所望の動作を機器が行うように、入力操作をし直すことができる。
【００３１】
以上説明したように、本発明を適用した実施形態に係る表示機器１によれば、階層化された複数の画面の各画面、或いは、順番に表示される複数の画面の各画面を表示し、指のタッチ操作に応じて画面を遷移して表示する表示機器１において、タッチ操作時の指の本数を検出し、検出した指の本数に予め対応付けられている画面に遷移する。これにより、タッチ操作を行う指の本数を変えるだけで、一度の入力操作で遷移させることができる画面のバリエーションが増え、表示機器１の操作性が向上する。
【００３２】
表示機器１は、また、タッチ操作時の指の本数に応じて、画面の遷移時に表示する遷移画面に与える視覚効果を変える。これにより、ユーザーが入力操作を間違って行った場合、或いは、静電気等の影響により操作検出部が誤作動をした場合に、どのような操作が行われているかをユーザーが視覚的に認識することができる。そのため、ユーザーは、入力操作間違いを行ったこと、或いは、機器が誤作動差していることを視覚的に認識することができ、所望の動作を機器が行うように、入力操作を適宜にし直すことができ、表示機器１の操作性が向上する。
【００３３】
表示機器１は、また、タッチ操作時の指の本数に応じて、遷移する画面の階層の数を変える。そのため、タッチ操作を何度も繰り返す、或いは、タッチパネル１２の周囲に設けられた操作ボタンを操作することなく、画面をタッチ操作時の指の本数に予め対応付けられた画面に遷移させることができる。よって、一度の入力操作で遷移させることができる画面のバリエーションが増え、一度のタッチ操作で、機能階層のトップ画面、或いは、システムトップの画面に遷移することができ、表示機器１の操作性が向上する。また、操作性が向上したことによって、例えば、車載機に本発明を適用した表示機器１を用いた場合に、ユーザーは、運転中に前方方向から目を離すことなく、ブラインドタッチによるタッチ操作で、所望の画面に遷移させることができるようになる。
【００３４】
以上の説明において、タッチパネル１２へのタッチ操作時の指の本数が、２本の場合は、１階層上の画面へ、３本の場合は、機能階層のトップ画面へ、４本の場合は、システムトップの画面へ、画面を遷移させる場合を例に説明したが、表示機器１は、これに限らず、例えば、電子書籍に本発明を適用した表示機器１を用いた場合に、タッチ操作によってページを捲る入力操作を行う場合に、タッチ操作時の指の本数に応じて、一度に捲るページ数を変えるように設定することも可能である。この場合、タッチ操作時の指の本数に予め対応付けられたページ数の画面を遷移させるときに、遷移時の画面に遷移させるページ数が捲れていく視覚効果を与える構成とすることもできる。
【符号の説明】
【００３５】
１  表示機器
１０  表示部
１１  表示パネル
１２  タッチパネル
２１  画面遷移部（画面遷移手段）
２２  操作検出部（操作検出手段）
【図１】
2013016123.tif 000003
【図２】
2013016123.tif 000004
【図３】
2013016123.tif 000005
【図４】
2013016123.tif 000006
【図５】
2013016123.tif 000007
【図６】
2013016123.tif 000008
【図７】
2013016123.tif 000009